(57)【要約】【課題】  家庭や個人等において、安全に使用でき、十分な美肌効果を発揮し得る美容機器を提供する。【解決手段】  本発明の美容機器１は、手で把持して使用するものであって、所定波長の光を照射する光照射部５と、イオンを発生するイオン発生部７と本体３に備えており、本体３の一方側面に光照射部５を、他方側面にイオン発生部７を配置してあるとともに、光照射部５は所定の配列で配置された複数の光源モジュール２５を備え、各光源モジュール２５は所定の配列で配置され且つ２波長以上の光を発する複数の発光ダイオード２０ａ〜２０ｂを有している。【選択図】図１
2005168894.tif 000002
【特許請求の範囲】
【請求項１】
所定波長の光を照射する光照射部と、イオンを発生するイオン発生部とを備え、手で把持して使用する美容機器であって、本体の一方側面に光照射部を、他方側面にイオン発生部を配置してあるとともに、光照射部は所定の配列で配置された複数の光源モジュールを備え、各光源モジュールは所定の配列で配置され且つ２波長以上の光を発する複数の発光ダイオードを有していることを特徴とする美容機器。
【請求項２】
イオン発生部はビタミン水溶液を含浸した布を装着した一方の電極と、本体の把持部に設けた他方の電極と、電源と、イオン制御部とを有し、イオン制御部は一方と他方の電極間に所定電圧のパルス波を印加することを特徴とする請求項１に記載の美容機器。
【請求項３】
イオン制御部は、３〜１０Ｖの電圧を、０．５〜２ＫＨｚの周波数で５００〜７００μｓの間隔で且つ１パルスあたり３００〜５００μｓの幅でパルス波を印加することを特徴とする請求項２に記載の美容機器。
【請求項４】
イオン制御部は、パルス幅と、パルス間隔を複数に設定してあることを特徴とする請求項３に記載の美容機器。
【請求項５】
前記発光ダイオードは、黄色光、赤色光、近赤外光を所定のパルスで発することを特徴とする請求項１ないし請求項４のいずれか１項に記載の美容機器。
【発明の詳細な説明】
【技術分野】
【０００１】
本発明は、所定波長の光やイオンを当てることにより、染みや皺を低減して美肌効果を得ることができる美容機器に関する。
【背景技術】
【０００２】
美肌等に効果がある美容機器は、従来から様々なタイプものが知られている。
例えば、特許文献１には、レーザ光を皮膚に照射して美肌効果を得ることが開示されている。
また、特許文献２には、ＬＥＤを点滅させて、人眼に照射することが開示されているが、眼内血流循環を向上して眼精疲労を緩和するものである。
【０００３】
【特許文献１】特開２０００−２１７９３８号公報
【特許文献２】実開平７−１２１３８号公報
【発明の開示】
【発明が解決しようとする課題】
【０００４】
しかしながら、従来の美容機器においてはレーザ光を照射するものに限られており、所定の１つの波長のみを使用していたり、あるいは、紫外線を伴うものであった。そのため、美肌効果が十分でなかったり、使用に際して一定の熟練を必要とする（専門性を伴う）場合があった。
本発明は前記事情に着目してなされたものであり、その目的とするところは、家庭や個人等において、安全に使用でき、十分な美肌効果を発揮し得る美容機器を提供することにある。
【課題を解決するための手段】
【０００５】
請求項１に記載された発明は、所定波長の光を照射する光照射部と、イオンを発生するイオン発生部とを備え、手で把持して使用する美容機器であって、本体の一方側面に光照射部を、他方側面にイオン発生部を配置してあるとともに、光照射部は所定の配列で配置された複数の光源モジュールを備え、各光源モジュールは所定の配列で配置され且つ２波長以上の光を発する複数の発光ダイオードを有していることを特徴とする。
【０００６】
請求項２に記載された発明は、請求項１に記載の発明において、イオン発生部はビタミン水溶液を含浸した布を装着した一方の電極と、本体の把持部に設けた他方の電極と、電源と、イオン制御部とを有し、イオン制御部は一方と他方の電極間に所定電圧のパルス波を印加することを特徴とする。
【０００７】
請求項３に記載された発明は、請求項２に記載の発明において、イオン制御部は、３〜１０Ｖの電圧を、０．５〜２ＫＨｚの周波数で５００〜７００μｓの間隔で且つ１パルスあたり３００〜５００μｓの幅でパルス波を印加することを特徴とする。
【０００８】
請求項４に記載された発明は、請求項３に記載の発明において、イオン制御部は、パルス幅と、パルス間隔を複数に設定してあることを特徴とする。
【０００９】
請求項５に記載された発明は、請求項１〜４のいずれか１項に記載の発明において、前記発光ダイオードは、黄色光、赤色光、近赤外光を所定のパルスで発することを特徴とする。
【発明の効果】
【００１０】
請求項１に記載された発明によれば、本体の一方側に設けた光照射部と他方側に設けたイオン発生部とのいずれかを、人体の皮膚にあてて使用するが、一つの機器で所定波長の光照射とイオン付与とを行なうことができる。
光照射部では、２波長以上の光により、肌に当てて使用すると肌の繊維芽細胞が刺激され、小皺や染みを十分に減らすことが可能になる。また、光源モジュールは発光ダイオードを用い紫外線を発しないため、使用に際して一定の熟練を必要とせず（専門性を伴わず）、家庭で安全に使用することができる。
イオン発生部は、肌に当ててイオンを供給することにより、化粧水や化粧用クリーム等の肌の乗りが良くなるとともに肌に付着している微細なゴミ等を浮き出す洗顔作用も奏することにより、肌に艶がでていわゆるすべすべ感を得ることができる。
【００１１】
請求項２に記載された発明によれば、請求項１に記載の発明と同様の作用効果が得られるとともに、イオン発生部ではビタミン水溶液をイオン化して皮膚に供給することができ、皮膚に対するビタミン水溶液の吸収性が良好になる。
【００１２】
請求項３に記載された発明によれば、請求項２に記載の発明と同様の作用効果が得られるとともに、各範囲の電圧と、周波数とパルスを設定することにより、より有効に且つ安全にイオンを肌に作用させることができる。
【００１３】
請求項４に記載された発明によれば、請求項３に記載の発明と同様の作用効果が得られるとともに、使用者の選択により、予め設定してあるイオン制御部のパルス幅と間隔を選ぶことができ、個々人の肌の状態に応じてイオン供給の調整が容易にできる。
【００１４】
請求項５に記載された発明によれば、請求項２ないし請求項４のいずれか１項に記載の発明と同様の作用効果が得られるとともに、肌に当てて使用するときに、黄色光、赤色光、近赤外光によって神経ブロックが刺激され、染みや小ジワを効果的に減らすことができる。
【発明を実施するための最良の形態】
【００１５】
以下、添付図面を参照しつつ本発明の実施形態について説明する。図１は、本実施の形態にかかる美容機器の使用状態及び構成を示す概略図であり、図２はイオン発生部の構成を示す断面図であり、図３は本実施の形態にかかる美容機器の図であり、（ａ）は側面図であり、（ｂ）は正面図、（ｃ）は裏面図であり、図４は光源モジュールの図であり（ａ）は透光板を外して見た平面図であり、（ｂ）はＬＥＤの配列を示す図であり、図５はＬＥＤの点滅を制御するパルス信号の図であり、図６は光源モジュールのスペクトルを示すグラフであり、図７はイオン発生部を制御する電圧パルスの図である。
【００１６】
本発明の実施形態に係る美容機器１は、装置本体３と、装置本体３に設けた光照射部５と、イオン発生部７とから構成されており、光照射部５は装置本体３の一方側面に設けてあり、イオン発生部７は他方側面（反対側面）に設けてある。
【００１７】
光照射部７は、複数のＬＥＤ（発光ダイオード）及びこれらのＬＥＤの発光を制御する光制御部１３と、透光板９とから構成してあり、透光板９は装置本体２に着脱自在に取り付けられ且つ前記ＬＥＤからの光を外部に向けて透光している。また、透光板４は、ＬＥＤから発せられる光を散乱させるべく、表面に複雑な凹凸を有している。尚、透光板４は、所定の方向の光のみを透過する偏光板であってもよい。
【００１８】
装置本体３は、人が手で把持できる大きさであり、装置本体３の一方方側面（光照射部５側）には通電性のある金属製電池ホルダ１５が設けてあり、この電池ホルダ１５を開いて電池を装着するようになっている。装置本体２の他方側面（イオン発生部７側）には、コントロールパネル１７が設けてあり、ＯＮ／ＯＦＦスイッチの他、各種の強弱レベル（Ｌ１、Ｌ２、Ｌ３）制御スイッチが設けてある。
【００１９】
イオン発生部７は、一方の電極を構成する金属製の基部１９と樹脂製のコットンホルダ２１とを備えており、金属製の電池ホルダ１５が他方の電極を兼ねている。また、装置本体３に内蔵されたイオン制御部２３が基部（一方の電極）１９と電池ホルダ１５（他方の電極）とに印加する電圧やパルスを制御している。
イオン制御部２３の基部１９はコットンホルダ２１よりも突設しており、ビタミン水溶液を含浸した布１６を基部１３に被着してコットンホルダ２１で基部１３に固定するようになっている。
【００２０】
光照射部５は、透光板４を取り外した状態を図４の（ａ）に示すように、複数のＬＥＤを有する複数の光源モジュール２５が配置されている。本実施形態では、４つの光源モジュール２５が配置されている。
４つの光源モジュール２５は、略円形を成しており、前記電気回路の各素子が実装される基板上に所定の配列で搭載されている。具体的に、本実施形態において、光源モジュール２５は、それぞれが菱形の頂点を形作るように左右上下に１つずつ配置されている。
図４（ｂ）に示すように、各光源モジュール２５は複数のＬＥＤを有している。本実施形態では、２波長以上の光を発する合計１０個のＬＥＤ２０ａ〜２０ｄが各光源モジュール２５に所定の配列で配置されている。具体的には、各光源モジュール２５は、波長が６４４ｎｍの赤色光を発する２つの第１のＬＥＤ２０ａと、波長が５７５ｎｍの黄色光を発する２つの第２のＬＥＤ２０ｂと、波長が９４０ｎｍの近赤外光を発する３つの第３のＬＥＤ２０ｃと、波長が８８０ｎｍの近赤外光を発する３つの第４のＬＥＤ２０ｄとを有している。
【００２１】
ここで、光源モジュール２５の中心を通る線分と略平行な３つの境界線Ｈ１，Ｈ２，Ｈ３により光源モジュール２５の円形領域を４つの領域Ａ，Ｂ，Ｃ，Ｄに区切った場合を想定すると、両側の第１の領域Ａおよび第４の領域Ｄには、第１のＬＥＤ２０ａおよび第２のＬＥＤ２０ｂが境界線Ｈ１，Ｈ２，Ｈ３と略平行に一列に並んで配置されている。この場合、第１の領域Ａと第４の領域Ｄとでは、第１のＬＥＤ２０ａおよび第２のＬＥＤ２０ｂの並ぶ順番が逆になっている。一方、第１および第２の領域Ａ，Ｄによって挟まれた第２および第３の領域Ｂ，Ｃには、第３のＬＥＤ２０ｃおよび第４のＬＥＤ２０ｄが境界線Ｈ１，Ｈ２，Ｈ３と略平行に一列に並んで配置されている。この場合、第２の領域Ｂでは、２つの第３のＬＥＤ２０ｃ，２０ｃ間に１つの第４のＬＥＤ２０ｄが挟まれている。逆に、第３の領域Ｃでは、２つの第４のＬＥＤ２０ｄ，２０ｄ間に１つの第３のＬＥＤ２０ｃが挟まれている。すなわち、光源モジュール２５の中央領域Ｂ，Ｃでは、隣り合うＬＥＤ同士が同じＬＥＤとならないように第３のＬＥＤ２０ｃおよび第４のＬＥＤ２０ｄが千鳥状に配置され、光源モジュール２５の両側の領域Ａ，Ｄでは、第１のＬＥＤ２０ａおよび第２のＬＥＤ２０ｂが互いに並ぶ順番を逆にして一列に配置されている。つまり、光源モジュール２５の全領域において、隣り合うＬＥＤ同士が異なる色（波長）のＬＥＤとなるような配列形態を成している。
【００２２】
本実施の形態では、光照射部５では、所定の配列で配置された複数の光源モジュール２５を備え、各光源モジュール２５は、所定の配列で配置され且つ２波長以上の光を発する複数の発光ダイオード２０ａ〜２０ｄを有しているので、光照射部５を肌に当てて使用した場合、２波長以上の光により、繊維芽細胞が刺激され、小皺や染みを十分に減らすことが可能になる。また、紫外線を発しないため、使用に際して一定の熟練を必要とせず（専門性を伴わず）、家庭で安全に使用することができる。
【００２３】
次に、光制御部１３における各ＬＥＤ２０ａ〜２０ｄの点滅制御について説明する。本実施の形態では、制御形態を切り換えスイッチによりＬ１〜Ｌ３の３つのレベルに切り換え可能となっており、図５（ａ）及び下記表１に示す周期で点滅するように制御されている。また、図５（ａ）のＥにおける各２種類のＬＥＤの点滅制御を図５（ｂ）に示している。尚、図５において、周波数は５ＫＨｚであり、パルスの幅ｎ及びパルス間隔ｍはそれぞれ１００μｓである。
【００２４】
【表１】
2005168894.tif 000003
【００２５】
本実施の形態では、このように光のパルス制御幅と間隔をμｓ（マイクロ秒）オーダの狭い範囲にすることにより、肌への光の吸収と刺激を促すことができ、効率的に皮膚を刺激し且つ浸透して皮膚を改善できるとともに、各波長の光を肌に照射することにより、肌の各色のしみを低減する効果がある。
【００２６】
次に、イオン発生部７について説明する。イオン発生部７では、一方の電極を構成する基部１９に環状のホルダ２１が嵌合しており、基部１９にはビタミン水溶液を含浸した布を被せ、ホルダ２１で基部１９上に装着するようになっている。
一方の電極である基部１９と他方の電極である電池ホルダ１５とには、イオン制御部２３により所定のパルス電圧が供給されるようになっている。供給されるパルス電圧は、図７に示すように、電圧Ｓボルトでパルス幅Ａμｓ（マイクロ秒）、パルス間隔Ｂμｓとしてある。
尚、一方及び他方の電極１９、１５には印加される電圧のプラスマイナスが切り換えも可能になっている。また、プラスとマイナスの電流を交互に流すことにより、肌への刺激を低減するようにしてもよい。
本実施の形態では、切り換えスイッチによりＬ１〜Ｌ３の３つのレベルに切り換え可能となっており、各レベルＬ１〜Ｌ３における値を下記表１に示す。尚、電圧Ｓは５Ｖであり、周波数は１ＫＨＺである。
【００２７】
【表２】
2005168894.tif 000004
【００２８】
次に、本実施の形態にかかる美容機器１の使用方法及び作用について、説明する。
本美容機器１では、光照射部５とイオン発生部７とを交互に使用することが望ましい。例えば、顔等の肌、特に、染みや皺の気になる箇所に光照射部５を数分間当てた後、イオン発生部７にビタミン水溶液を含浸した布を取り付け、今度はイオン発生部７を肌にあてる。
【００２９】
イオン発生部７では、一方の電極である基部１９と、他方の電極である電池ホルダ１５を握っている手から肌表面に導電され、肌と基部１９との間に電圧差を生じ、この肌と基部１９との間でイオンが発生する。特に、本実施の形態では、ビタミン水溶液を含浸した布が装着されているので、この水溶液もイオン化して肌への吸収が促進される。また、肌に付着している微細な汚れやゴミが浮き出しやすくなり、洗顔効果も促進される。
【００３０】
一方、光照射部５では、各波長の光により肌に刺激を与えるが、図６を参照して各波長の効能及び作用を説明する。
５７５ｎｍの波長Ｒ１は皮膚における精神安定神経ブロックを刺激し、線維芽細胞を刺激することにより、コラーゲン増殖作用をもたらす。また、肌の薄い中間色の改善に優れる。
６４４ｎｍの波長Ｒ２は、５７５ｎｍの波長Ｒ１と同様に精神安定神経ブロックを刺激し、線維芽細胞を刺激することにより、コラーゲン増殖作用をもたらすとともに、肌の赤青系の改善に優れる。
８７０ｎｍの波長Ｒ３は、５７５ｎｍ波長Ｒ１と同様に、精神安定神経ブロックを刺激し、線維芽細胞を刺激することにより、コラーゲン増殖作用をもたらすとともに、肌の赤系の改善に優れる。
９４９ｎｍの波長Ｒ４は、５７５ｎｍ波長と同様に、精神安定神経ブロックを刺激し、線維芽細胞を刺激することにより、コラーゲン増殖作用をもたらすとともに、肌の浅い皺の改善に優れる。
【００３１】
本実施の形態では、上述したように肌に対して各独立の効果を有するイオン発生部７と光照射部５とを交互に肌に当てることにより、優れた美肌効果を奏するものである。もちろんイオン発生部７と光照射部５との一方のみを用いることもできる。
【００３２】
本実施の形態にかかる美容機器１を１日５分間、１週間連続して、被験者の肌に当てる実験を、約１０人の被験者について行い。その結果について、アンケート調査をおこなった。その結果、７人について、被験者の肌の染みが無くなったり、染みや皺が減ったというアンケート結果を得た。更に、９人については本実施の形態にかかる美容機器１を使用後には、肌に張りや艶がでてきた感じがするというアンケートを得た。
【００３３】
また、美容機器１の光照射部５では、各光源モジュール２５からの光を散乱させて照射しているので、光を拡散できるため、一度の照射で広範囲にわたって小皺や染みを減らすことが可能になる。
光照射部５では、隣り合う発光ダイオードの光の波長が互いに異なる。そのため、複数種の光をムラ無く十分に干渉させて照射することができ、優れた美容効果を得ることができる。
【００３４】
また、本実施形態の美容機器１において、発光ダイオード２０ａ〜２０ｄは、黄色光、赤色光、近赤外光を発しており、これらの黄色光、赤色光、近赤外光は、浸透性が良好であり、神経ブロックを刺激するため、染みや小ジワを効果的に減らすことができる。
本発明は、前述した実施形態に限定されず、その要旨を逸脱しない範囲で種々変形実施できることは言うまでもない。例えば、イオン発生部７では、布にビタミンを含有しない市販の化粧水を含浸させたり、水のみを含浸させるものであってもよい。
【図面の簡単な説明】
【００３５】
【図１】本実施の形態にかかる美容機器の使用状態及び構成を示す概略図である。
【図２】イオン発生部の構成を示す断面図である。
【図３】本実施の形態にかかる美容機器の図であり、（ａ）は側面図であり、（ｂ）は正面図、（ｃ）は裏面図である。
【図４】光源モジュールの図であり（ａ）は透光板を外して見た平面図であり、（ｂ）はＬＥＤの配列を示す図である。
【図５】ＬＥＤの点滅を制御するパルス信号の図である。
【図６】光源モジュールのスペクトルを示すグラフである。
【図７】イオン発生部を制御するパルス信号の図である。
【符号の説明】
【００３６】
１      美容機器
３      装置本体
５      光照射部
７      イオン発生部
１３    光制御部
１５    電池ホルダ（他方の電極）
１６    ビタミン水溶液含浸の布
１９    基部（他方の電極）
２３    イオン制御部
【図１】
2005168894.tif 000005
【図２】
2005168894.tif 000006
【図３】
2005168894.tif 000007
【図４】
2005168894.tif 000008
【図５】
2005168894.tif 000009
【図６】
2005168894.tif 000010
【図７】
2005168894.tif 000011